(57)【要約】      （修正有）【課題】複数の部材を嵌合させて表示を形成する絵馬を提供する。【解決手段】奉納者は、まず第１配布地点で第１部材２０の配布を受け、次に、第２配布地点で、第１部材２０を提示して第２部材２２の配布を受ける。そして、奉納者は、配布された第２部材を第１部材２０の開口部に挿入する。最後に、奉納者は、第３配布地点（寺院）で、第２部材２２が挿入された第１部材２０を提示して、第３部材２４の配布を受け、第２部材２２の開口部に、配布された第３部材２４を挿入して、絵馬２を完成させ、寺院に奉納する。【選択図】図３
0003192420.tif 000002
【実用新案登録請求の範囲】
【請求項１】
開口部を有する板状の第１部材と、前記開口部に嵌り込む形状の第２部材とを備え、前記第１部材の開口部は、前記第２部材の挿入方向に向かって徐々に狭くなっており、前記第２部材が前記第１部材の開口部に嵌り込むことによって完成することを特徴とする絵馬。
【請求項２】
開口部を有する板状の第１部材と、前記開口部に嵌り込むとともに開口部を有する板状の第２部材と、前記第２部材の開口部に嵌り込む板状の第３部材とを備え、前記第１部材の開口部は、前記第２部材の挿入方向に向かって徐々に狭くなっており、前記第２部材の開口部は、前記第３部材の挿入方向に向かって徐々に狭くなっており、前記第２部材が前記第１部材の開口部に嵌り込み、前記第３部材が前記第２部材の開口部に嵌り込むことによって完成することを特徴とする絵馬。
【請求項３】
前記第２部材が前記第１部材に嵌り込むと、これらの２つの形状や模様が構成された１枚の板状の表裏面に表示されることを特徴とする請求項１記載の絵馬。
【請求項４】
前記第２部材と前記第３部材の形状が相似形状であり、前記第３部材が前記第２部材に嵌り込むと、これらの相似形状が構成された１枚の板状の表裏面に表示されることを特徴とする請求項２記載の絵馬。
【請求項５】
開口部を有する板状の第１部材を第１の配布場所で受け取り、前記開口部に嵌り込む形状の第２部材を第２の配布場所で受け取り、第１の配布場所で受け取った前記第１部材に第２の配布場所で受け取った前記第２部材を嵌め込んで完成した絵馬を奉納することを特徴とする請求項１又は３記載の絵馬。
【請求項６】
開口部を有する板状の第１部材を第１の配布場所で受け取り、前記開口部に嵌り込む形状の第２部材を第２の配布場所で受け取り、第１の配布場所で受け取った前記第１部材に第２の配布場所で受け取った前記第２部材を嵌め込み、第２の配布場所で受け取った前記第２部材に第３の配布場所で受け取った前記第３部材を嵌め込んで完成した絵馬を奉納することを特徴とする請求項２又は４記載の絵馬。
【考案の詳細な説明】
【技術分野】
【０００１】
本考案は、絵馬に関する。
【背景技術】
【０００２】
例えば、特許文献１には、絵馬内部に空間を設け、願いごとや記載者情報を人目に曝す
ことがないケース型絵馬が開示されている。
【先行技術文献】
【特許文献】
【０００３】
【特許文献１】特開２００９−２６８７５８号公報
【考案の概要】
【考案が解決しようとする課題】
【０００４】
本考案は、複数の部材を嵌合させて表示を形成する絵馬を提供する。
【課題を解決するための手段】
【０００５】
本考案に係る絵馬は、開口部を有する板状の第１部材と、前記開口部に嵌り込む形状の第２部材とを備え、前記第１部材の開口部は、前記第２部材の挿入方向に向かって徐々に狭くなっており、前記第２部材が前記第１部材の開口部に嵌り込むことによって完成することを特徴とする。また、開口部を有する板状の第１部材と、前記開口部に嵌り込むとともに開口部を有する板状の第２部材と、前記第２部材の開口部に嵌り込む板状の第３部材とを備え、前記第１部材の開口部は、前記第２部材の挿入方向に向かって徐々に狭くなっており、前記第２部材の開口部は、前記第３部材の挿入方向に向かって徐々に狭くなっており、前記第２部材が前記第１部材の開口部に嵌り込み、前記第３部材が前記第２部材の開口部に嵌り込むことによって完成することを特徴とする。前記第２部材が前記第１部材に嵌り込むと、これらの２つの形状や模様が構成された１枚の板状の表裏面に表示されることを特徴とする。
【考案の効果】
【０００６】
本考案によれば、複数の部材を嵌合させて表示を形成する絵馬を提供できる。
【図面の簡単な説明】
【０００７】
【図１】絵馬１を例示する図である。
【図２】絵馬１の断面を例示する図である。
【図３】変形例の絵馬２を例示する図である。
【図４】変形例の絵馬２の断面を例示する図である。
【図５】絵馬２を用いた絵馬奉納を概説する図である。
【図６】絵馬２の奉納方法を説明するフローチャートである。
【考案を実施するための最良の形態】
【０００８】
［実施例１］
図１は、絵馬１を例示する図である。絵馬１は、本考案に係る表示板の一例である。
図２は、絵馬１の断面を例示する図である。
図１及び図２に例示するように、絵馬１は、第１部材１０と第２部材１２とからなる。より具体的には、第１部材１０の開口部に、第２部材１２が嵌り込むことによって、絵馬１が完成する。本例の第１部材１０は、木製板に開口部を形成することによって製造される。開口部は、図２に例示するように、第２部材１２の挿入方法に徐々に狭くなっている。本例の第２部材１２は、第１部材１０の開口部に嵌り込む形状で、木製板から切り出されたものである。
第１部材１０に第２部材１２を挿入すると、第２部材１２の外周側面が第１部材１０の開口部側面に接して、接し合う面の摩擦力によって第２部材１２が第１部材１０に嵌り込んだ状態で固定される。
【０００９】
また、図２に例示するように、本例の第１部材１０及び第２部材１２は、同じ厚みを有する板で構成されている。そして、図２（Ｂ）に例示するように、絵馬１の表面及び裏面が共に略平面となるように、第１部材１０の開口部と、第２部材１２の外周形状とが形成されている。
【００１０】
図３は、変形例の絵馬２を例示する図である。
図４は、変形例の絵馬２の断面を例示する図である。
図３及び図４に例示するように、絵馬２は、第１部材２０、第２部材２２及び第３部材２４からなる。より具体的には、第１部材２０の開口部に、第２部材２２が嵌り込み、第２部材２２の開口部に第３部材２４が嵌り込むことによって、絵馬２が完成する。
なお、本例の絵馬２では、第１部材２０に挿入される第２部材２２に、開口部が設けられ、第３部材２４が挿入される構成となっているが、これに限定されるものではなく、例えば、第１部材２０に複数の開口部が設けられており、これらの開口部にそれぞれ第２部材２２が挿入されるように構成されてもよい。
【００１１】
図５は、上記絵馬２を用いた絵馬奉納を概説する図である。
奉納者は、図５に例示するように、まず第１配布地点９００（本例では駅近傍）で第１部材２０の配布を受け、次に、第２配布地点９０２（本例ではショッピングセンター）で、第１部材２０を提示して第２部材２２の配布を受ける。そして、奉納者は、配布された第２部材を第１部材２０の開口部に挿入する。
最後に、奉納者は、第３配布地点９０４（寺院）で、第２部材２２が挿入された第１部材２０を提示して、第３部材２４の配布を受け、第２部材２２の開口部に、配布された第３部材２４を挿入して、絵馬２を完成させ、寺院に奉納する。
このように、本例によれば、既定の順序で配布地点を通って、絵馬の奉納に来てもらうことができる。また、奉納者は、徐々に絵馬２を完成させながら、チェックポイント（配布地点）を回るため、より深い思いを持って絵馬２を奉納することが期待できる。
なお、本例では、複数の配布地点で各部材（第１部材から第３部材）を配布する形態を説明したが、これに限定されるものではなく、同じ配布地点で、異なる複数の時間帯に、各部材（例えば、第１部材から第３部材）を配布してもよい。
【００１２】
図６は、絵馬２の奉納方法を説明するフローチャートである。
図６に例示するように、ステップ１００（Ｓ１００）において、第１配布地点９００の
スタッフは、第１配布地点９００で奉納者の参加申込みを受け付ける（Ｓ１００：Ｙｅｓ）。
ステップ１０５（Ｓ１０５）において、第１配布地点９００のスタッフは、参加申込みが完了すると、第１部材２０を奉納者に配布し、第２配布地点を案内する。
【００１３】
ステップ１１０（Ｓ１１０）において、第２配布地点９０２のスタッフは、第２配布地点９０２に奉納者が到着すると（Ｓ１１０：Ｙｅｓ）、第１部材２０の提示を求める。
ステップ１１５（Ｓ１１５）において、第２配布地点９０２で第１部材２０の提示があった場合（Ｓ１１５：Ｙｅｓ）、第２部材２２の配布に進み、第１部材２０の提示が無かった場合、第１配布場所９００の案内に進む。
【００１４】
ステップ１２０（Ｓ１２０）において、第２配布地点９０２のスタッフは、奉納者に、第２部材２２を配布し、第３配布地点９０４を案内する。
ステップ１２５（Ｓ１２５）において、第２配布地点９０２のスタッフは、奉納者に、第１配布地点９００を案内する。
【００１５】
ステップ１３０（Ｓ１３０）において、第３配布地点９０４のスタッフは、第３配布地点９０４に奉納者が到着すると（Ｓ１３０：Ｙｅｓ）、第１部材２０及び第２部材２２の提示を求める。
ステップ１３５（Ｓ１３５）において、第３配布地点９０４で第１部材２０及び第２部材２２の提示があった場合（Ｓ１３５：Ｙｅｓ）、第３部材２４の配布に進み、第１部材２０又は第２部材２２の提示が無かった場合、第１配布場所９００又は第２配布場所９０２の案内に進む。
【００１６】
ステップ１４０（Ｓ１４０）において、第３配布地点９０４のスタッフは、奉納者に、第３部材２４を配布し、絵馬２を完成させるよう促す。
ステップ１４５（Ｓ１４５）において、第３配布地点９０４のスタッフは、奉納者に、第１配布地点９００又は第２配布地点９０２を案内する。
ステップ１５０（Ｓ１５０）において、第３配布地点９０４の近傍に設けられた絵馬奉納場所を奉納者に案内し、完成した絵馬２の奉納を受ける。
【００１７】
以上説明したように、本実施形態の絵馬は、複数の部材を嵌合させて表示を形成する。これらの部材は表面の摩擦力で互いに固定されるため、接着剤などを用いず完成させることができる。
また、複数の部材を複数の配布地点又は複数の配布時間帯に配布することにより、ゲーム性が増し、楽しく絵馬を奉納できる。
【００１８】
［変形例］
次に、上記実施形態の他の変形例を説明する。
上記実施形態では、２つ又は３つの部材でハート形状を表した絵馬を具体例として説明したが、他の形状や模様を表してもよいし、このような形状や模様を４つ以上の部材で構成してもよい。
また、上記実施形態では、絵馬を例示したが、木札（祈祷札、星供札、護摩札など）、お守り、塔婆（板塔婆、角塔婆）、手形、印籠、護摩木、又は、板状の木材などに適用してもよい。
また、上記実施形態では、木製板を用いる形態を説明したが、鉄、アルミニウム、ステンレスなどの金属板、段ボールなどの紙類、プラスチックなどの合成樹脂、又は粘土を材料としてもよい。
【００１９】
寺院を終点とする形態を例示したが、神社、その他の宗教関連施設、行政施設、商店街、イベント会場、複合ビルディング、店舗、商店、組合施設、観光地、「恋人たちの聖地」などのような有名スポットなどが、始点、中間点又は終点の配布地点となってもよい。
また、単一の配布地点で単一の時間帯に全ての部材を配布してもよい。
【符号の説明】
【００２０】
１，２  絵馬
１０，２０  第１部材
１２，２２  第２部材
２４  第３部材
【図１】
0003192420.tif 000003
【図２】
0003192420.tif 000004
【図３】
0003192420.tif 000005
【図４】
0003192420.tif 000006
【図５】
0003192420.tif 000007
【図６】
0003192420.tif 000008